(57)【要約】【課題】時刻および計測時間を分かりやすく表示できるアナログ電子時計を提供すること。【解決手段】アナログ電子時計は、秒針１３と、秒針１３を駆動させる秒針用ステップモーター２１と、秒針用ステップモーター２１を制御して、時刻の秒を秒針１３によって表示させるタイム表示処理部３４１と、時間計測を行うとともに、秒針用ステップモーター２１を制御して、計測時間の秒を秒針１３によって表示させるストップウォッチ表示処理部３４２と、を備え、タイム表示処理部３４１は、秒針１３を第１時間間隔で運針させ、ストップウォッチ表示処理部３４２は、秒針１３を第１時間間隔とは異なる第２時間間隔で運針させる。【選択図】図２
2015206770.tif 000002
【特許請求の範囲】
【請求項１】
秒針と、
前記秒針を駆動させる駆動手段と、
前記駆動手段を制御して、時刻の秒を前記秒針によって表示させる時刻表示処理部と、
時間計測を行うとともに、前記駆動手段を制御して、計測時間の秒を前記秒針によって表示させる計測時間表示処理部と、を備え、
前記時刻表示処理部は、前記秒針を第１時間間隔で運針させ、
前記計測時間表示処理部は、前記秒針を前記第１時間間隔とは異なる第２時間間隔で運針させる
ことを特徴とするアナログ電子時計。
【請求項２】
請求項１に記載のアナログ電子時計において、
前記第２時間間隔は、前記第１時間間隔よりも短い
ことを特徴とするアナログ電子時計。
【請求項３】
請求項２に記載のアナログ電子時計において、
前記秒針の１周分のステップ数は、６０のＮ倍（Ｎは２以上の整数）であり、
前記第１時間間隔は、１秒であり、
前記第２時間間隔は、１秒をＮで割った時間である
ことを特徴とするアナログ電子時計。
【請求項４】
請求項３に記載のアナログ電子時計において、
前記時刻表示処理部は、前記秒針を前記第１時間間隔でＮステップずつ運針させ、
前記計測時間表示処理部は、前記秒針を前記第２時間間隔で１ステップずつ運針させる
ことを特徴とするアナログ電子時計。
【請求項５】
請求項１から請求項４のいずれか１項に記載のアナログ電子時計において、
前記秒針の回転軸は、文字板の中心に位置している
ことを特徴とするアナログ電子時計。
【発明の詳細な説明】
【技術分野】
【０００１】
本発明は、指針を備えたアナログ電子時計に関する。
【背景技術】
【０００２】
従来、ストップウォッチ（クロノグラフ）やタイマー等の時間計測機能を有するアナログ電子時計が知られている。このようなアナログ電子時計には、現時刻を表示する秒針を用いて、計測時間の秒表示を行っているものがある（例えば、特許文献１参照）。
特許文献１のクロノグラフ付きアナログ時計は、通常時刻モードでは現時刻の秒を指示し、ストップウォッチモードでは計測時間の秒（クロノグラフ秒）を指示する、２つの役割を果たす秒針を備えている。
【先行技術文献】
【特許文献】
【０００３】
【特許文献１】特開２０１３−２２８２５８号公報
【発明の概要】
【発明が解決しようとする課題】
【０００４】
ところで、特許文献１のクロノグラフ付きアナログ時計では、現時刻の秒（時刻秒）の表示と、計測時間の秒（計測秒）の表示とで、１つの秒針が兼用されているため、秒針が時刻秒を表示しているのか計測秒を表示しているのかを判別する必要がある。
特許文献１のクロノグラフ付きアナログ時計は、通常時刻モードでは駆動せずストップウォッチモードで駆動する１／１０秒クロノグラフ針や１／１００秒クロノグラフ針を備えている。このため、これらの指針の動作状態に基づいて、通常時刻モードかストップウォッチモードかを判別でき、秒針が時刻秒を表示しているのか計測秒を表示しているのかを判別できる。
しかしながら、１／１０秒クロノグラフ針や１／１００秒クロノグラフ針は、秒針に比べて、運針時間間隔が短いため、駆動に大きな電力を必要とする。このため、消費電力の低減を目的として、計測が続いている場合でも、計測が開始されてから一定時間（例えば、１分）後に、各クロノグラフ針の駆動を停止させる場合がある。このような場合は、秒針が時刻秒を表示しているのか計測秒を表示しているのかを判別できないという問題があった。
また、別の指針により、通常時刻モードとストップウォッチモードのいずれかを指示することで、各モードを判別させる方法も考えられるが、指針の移動領域が小さい場合には、判別がしにくいという問題があった。
【０００５】
本発明は、時刻および計測時間を分かりやすく表示できるアナログ電子時計を提供することを目的とする。
【課題を解決するための手段】
【０００６】
本発明のアナログ電子時計は、秒針と、前記秒針を駆動させる駆動手段と、前記駆動手段を制御して、時刻の秒を前記秒針によって表示させる時刻表示処理部と、時間計測を行うとともに、前記駆動手段を制御して、計測時間の秒を前記秒針によって表示させる計測時間表示処理部と、を備え、前記時刻表示処理部は、前記秒針を第１時間間隔で運針させ、前記計測時間表示処理部は、前記秒針を前記第１時間間隔とは異なる第２時間間隔で運針させることを特徴とする。
【０００７】
本発明によれば、秒針は、時刻の秒（時刻秒）を表示する場合は、第１時間間隔（例えば、１秒）で運針され、計測時間の秒（計測秒）を表示する場合は、第１時間間隔とは異なる第２時間間隔（例えば、０．５秒）で運針される。
すなわち、本発明によれば、秒針は、時刻秒を表示する場合と計測秒を表示する場合とで、運針時間間隔が異なるため、使用者は、秒針の運針時間間隔に基づいて、秒針が時刻秒を表示しているのか計測秒を表示しているのかを容易に判別できる。
従って、時刻秒の表示と計測秒の表示とで、１つの秒針が兼用されているアナログ電子時計において、時刻および計測時間を分かりやすく表示できる。
【０００８】
本発明のアナログ電子時計において、前記第２時間間隔は、前記第１時間間隔よりも短いことが好ましい。
本発明によれば、秒針により、計測秒を時刻秒よりも細かい単位で表示できる。例えば、計測秒を０．５秒単位で表示できる。これにより、計測時間をより細かく表示できる。
また、本発明によれば、計測秒を表示する場合の方が、時刻秒を表示する場合よりも、秒針が短い間隔で運針されるため、計測秒を表示していることを使用者がイメージしやすい。このため、計測時間をより分かりやすく表示できる。
【０００９】
本発明のアナログ電子時計において、前記秒針の１周分のステップ数は、６０のＮ倍（Ｎは２以上の整数）であり、前記第１時間間隔は、１秒であり、前記第２時間間隔は、１秒をＮで割った時間であることが好ましい。
本発明のアナログ電子時計において、前記時刻表示処理部は、前記秒針を前記第１時間間隔でＮステップずつ運針させ、前記計測時間表示処理部は、前記秒針を前記第２時間間隔で１ステップずつ運針させることが好ましい。
【００１０】
本発明によれば、秒針は、時刻秒を表示する場合は１秒間隔で運針されるため、ステップモーターで駆動する一般的な時計の秒針の運針間隔とすることができ、使用者は違和感なく時刻秒を認識できる。
また、本発明によれば、秒針は、時刻秒を表示する場合は１秒間隔で運針され、計測秒を表示する場合は１秒の半分以下の間隔、つまり、０．５秒以下の間隔で運針される。このため、時刻秒の運針間隔（１秒）と、計測秒の運針間隔（０．５秒以下）との差を、０．５秒以上と大きくできる。これにより、秒針が時刻秒を表示しているのか計測秒を表示しているのかを、より容易に判別できる。
【００１１】
本発明のアナログ電子時計において、前記秒針の回転軸は、文字板の中心に位置していることが好ましい。
回転軸が文字板の中心に位置している指針（センター針）は、指針の長さを、文字板の中心から外縁部近傍までの距離に設定できる。秒針をこのような指針とすることで、時刻秒および計測秒をダイナミックに表示できる。これにより、時刻および計測時間の視認性を向上できる。
【図面の簡単な説明】
【００１２】
【図１】本実施形態に係るアナログ電子時計を示す正面図である。
【図２】前記アナログ電子時計の構成を示すブロック図である。
【図３】本実施形態における時刻表示モードおよびストップウォッチモードにおける各指針の表示内容を示す図である。
【図４】本実施形態におけるモード切替処理を示すフローチャートである。
【図５】本実施形態におけるストップウォッチ処理を示すフローチャートである。
【図６】前記アナログ電子時計における時刻表示モードでの表示例を示す図である。
【図７】前記アナログ電子時計におけるストップウォッチモードでのリセット時の表示例を示す図である。
【図８】前記アナログ電子時計におけるストップウォッチモードでの計測時の表示例を示す図である。
【図９】前記アナログ電子時計におけるストップウォッチモードでの計測時の他の表示例を示す図である。
【発明を実施するための形態】
【００１３】
以下に、本発明の実施形態を図面に基づいて説明する。
図１は、アナログ電子時計１を示す正面図である。
図１に示すように、アナログ電子時計１は、通常の時刻表示を行う基本時計用指針としての時針１１、分針１２、秒針１３を備えている。時針１１、分針１２、秒針１３は、アナログ電子時計１の文字板２を表面側から見た平面視において、回転軸が文字板２の中心に位置している。そして、文字板２の外縁部には、１周を１２０分割する時分秒目盛４１が表示されている。
【００１４】
また、アナログ電子時計１は、文字板２の中心から６時方向にずれた位置に配置されたモード表示針１４を備えている。そして、文字板２におけるモード表示針１４の回転領域の周囲には、１周を２０分割する１／２０秒目盛４２が表示されている。さらに、１／２０秒目盛４２の０秒位置には、ストップウォッチモードを示す「ＳＷ」の文字が表示されている。さらに、１／２０秒目盛４２の０秒位置と０．２秒位置との間には、時刻表示モードを示す「ＴＩＭＥ」の文字が表示されている。
【００１５】
また、アナログ電子時計１は、文字板２の中心から０時方向にずれた位置に配置された第１副針１７および第２副針１８を備えている。そして、文字板２における第１副針１７および第２副針１８の回転領域の周囲には、１周を６０分割する時分目盛４３が表示されている。
また、アナログ電子時計１には、外部操作部材であるリューズ５と、同じく外部操作部材である第１ボタン６および第２ボタン７とが設けられている。
【００１６】
図２は、アナログ電子時計１の構成を示すブロック図である。
図２に示すように、各指針１１〜１４，１７，１８は、４つのステップモーター（駆動手段）でそれぞれ駆動される。すなわち、秒針１３は、秒針用ステップモーター２１で駆動され、時針１１、分針１２は、時分針用ステップモーター２２で駆動され、モード表示針１４は、モード表示用ステップモーター２３で駆動され、第１副針１７および第２副針１８は、副針用ステップモーター２４で駆動される。
【００１７】
これらの各ステップモーター２１〜２４の駆動制御を行うために、アナログ電子時計１には、駆動制御回路３０が内蔵されている。
駆動制御回路３０は、第１スイッチ検出部３２、第２スイッチ検出部３３、機能処理部３４、秒針駆動制御部３５、時分針駆動制御部３６、モード表示駆動制御部３７、副針駆動制御部３８を備えている。
【００１８】
第１スイッチ検出部３２は、第１ボタン６の押込み操作を検出し、押し込み操作があった場合にその検出信号を機能処理部３４に出力する。
第２スイッチ検出部３３は、第２ボタン７の押込み操作を検出し、押し込み操作があった場合にその検出信号を機能処理部３４に出力する。
【００１９】
秒針駆動制御部３５は、水晶振動子等の基準信号発生回路から出力される基準信号（例えば１Ｈｚの信号）を利用してモータ駆動パルスを出力し、秒針用ステップモーター２１を介して秒針１３の駆動を制御する。
秒針１３の１周分のステップ数は、「１２０」である。
【００２０】
時分針駆動制御部３６は、時分針用ステップモーター２２を介して、時針１１、分針１２の駆動を制御する。
時針１１および分針１２のうち、長針である分針１２の１周分のステップ数は、「６０」である。このため、分針１２と連動して駆動される短針である時針１１の１周分のステップ数は、「７２０」である。
【００２１】
モード表示駆動制御部３７は、モード表示用ステップモーター２３を介してモード表示針１４の駆動を制御する。モード表示針１４の１周分のステップ数は、「６０」である。
副針駆動制御部３８は、副針用ステップモーター２４を介して第１副針１７および第２副針１８の駆動を制御する。各副針１７，１８のうち、長針である第２副針１８の１周分のステップ数は、「６０」である。このため、第２副針１８と連動して駆動される短針である第１副針１７のステップ数は、「７２０」である。
【００２２】
機能処理部３４は、アナログ電子時計１における各種機能を処理するものである。機能処理部３４は、タイム表示処理部（時刻表示処理部）３４１、ストップウォッチ表示処理部（計測時間表示処理部）３４２を備えている。
そして、機能処理部３４は、第２ボタン７によるモード切替操作が行われると、処理モードを、現時刻を表示する時刻表示モードと、開始点からの経過時間を計測するストップウォッチモード（クロノグラフモード）との間で順次切り替え、選択されたモードに応じて各処理部３４１，３４２を動作させる。すなわち、機能処理部３４は、時刻表示モードが選択された場合は、タイム表示処理部３４１を動作させ、ストップウォッチモードが選択された場合は、ストップウォッチ表示処理部３４２を動作させる。
【００２３】
図３は、時刻表示モードおよびストップウォッチモードにおける各指針の表示内容を示す図である。
タイム表示処理部３４１は、時刻表示モードが選択された際に動作し、秒針駆動制御部３５を利用し、秒針１３で現時刻の秒（時刻秒）を表示させるものである。
ここで、秒針１３は、１秒間隔で２ステップずつ運針する。すなわち、秒針１３は、運針の周期が１秒であり、一度の運針で、２ステップ分移動する。なお、時刻表示モードにおける秒針１３の運針時間間隔は、本発明の第１時間間隔に相当する。
【００２４】
また、タイム表示処理部３４１は、モード表示駆動制御部３７を利用し、モード表示針１４で時刻表示モードを表示させる。具体的には、モード表示針１４を移動させ、文字板２に表示された時刻表示モードを示す文字「ＴＩＭＥ」をモード表示針１４で指示させる。すなわち、モード表示針１４は運針しない。
【００２５】
また、タイム表示処理部３４１は、副針駆動制御部３８を利用し、第１副針１７および第２副針１８でワールドタイム時刻の時分を表示させる。第１副針１７および第２副針１８は、１分間隔で運針する。ワールドタイム時刻は、世界の各地の中から選択した地域の現地の時刻であり、例えば、その地域と現在地との時差を、リューズ５、第１ボタン６、第２ボタン７等を操作して入力することで設定できる。
【００２６】
ストップウォッチ表示処理部３４２は、ストップウォッチモードが選択された際に動作し、秒針駆動制御部３５、モード表示駆動制御部３７、副針駆動制御部３８を利用し、秒針１３、モード表示針１４、第１副針１７、第２副針１８によってストップウォッチ処理（クロノグラフ処理）を行うものである。ストップウォッチ処理とは、ストップウォッチのスタート操作を行うと、経過時間に伴い各指針１３，１４，１７，１８を時計回りに回転して、経過時間をリアルタイムに表示するものである。このため、ストップウォッチ表示処理部３４２は、前記基準信号をカウントすることで経過時間を計測する内部計測カウンタを備えている。
【００２７】
具体的にストップウォッチ表示処理部３４２は、秒針駆動制御部３５を利用し、秒針１３で計測時間の秒（計測秒）を表示させる。
ここで、秒針１３は、０．５秒間隔で１ステップずつ運針し、１分間で１周する。すなわち、秒針１３は、運針の周期が０．５秒であり、一度の運針で、１ステップ分移動する。すなわち、秒針１３は、ストップウォッチモードでは、０．５秒クロノグラフ針として機能する。なお、ストップウォッチモードにおける秒針１３の運針時間間隔は、本発明の第２時間間隔に相当する。
【００２８】
また、ストップウォッチ表示処理部３４２は、モード表示駆動制御部３７を利用し、モード表示針１４で、計測時間の１／２０秒の桁を表示させる。ここで、モード表示針１４は、１／２０秒（０．０５秒）間隔で３ステップずつ運針し、１秒間で１周する。すなわち、モード表示針１４は、ストップウォッチモードでは、１／２０秒クロノグラフ針として機能する。
なお、ストップウォッチ表示処理部３４２は、モード表示針１４の移動を開始させた後、１分経過後に、モード表示針１４を停止させる。すなわち、モード表示針１４は、１／２０秒目盛４２の０秒位置で停止する。そして、計測終了後に、計測時間を示す位置まで移動する。これにより、モード表示針１４の駆動時間を短くでき、ストップウォッチ処理にかかる消費電力を低減できる。
【００２９】
また、ストップウォッチ表示処理部３４２は、副針駆動制御部３８を利用し、第１副針１７および第２副針１８で計測時間の時分を表示させる。第１副針１７および第２副針１８は、１分間隔で運針する。すなわち、ストップウォッチモードでは、第１副針１７は、クロノグラフ時針として機能し、第２副針１８は、クロノグラフ分針として機能する。
【００３０】
また、機能処理部３４は、時刻表示モードおよびストップウォッチモードの両方のモードにおいて、時分針駆動制御部３６を利用し、時針１１、分針１２で現時刻の時分を表示させる。各指針１１，１２は、１分間隔で運針される。
【００３１】
［モード切替処理］
次に、モード切替処理について説明する。
図４は、モード切替処理を示すフローチャートである。
図４に示す処理は、例えば、機能処理部３４が電池交換等でリセットされた場合に開始される。
機能処理部３４は、時刻表示モードを選択する（Ｓ１１）。
次に、機能処理部３４は、第２スイッチ検出部３３の出力信号を判定して、第２ボタン７が押されたかを判定する（Ｓ１２）。
Ｓ１２でＮＯと判定された場合、機能処理部３４は、時刻表示モードを継続し、Ｓ１２の判定を再度行う。
【００３２】
一方、Ｓ１２でＹＥＳと判定された場合、機能処理部３４は、ストップウォッチモードを選択する（Ｓ１３）。
次に、機能処理部３４は、第２スイッチ検出部３３の出力信号を判定して、第２ボタンが押されたかを判定する（Ｓ１４）。
Ｓ１４でＮＯと判定された場合、機能処理部３４は、ストップウォッチモードを継続し、Ｓ１４の判定を再度行う。
一方、Ｓ１４でＹＥＳと判定された場合、機能処理部３４は、処理をＳ１１に戻す。
【００３３】
［ストップウォッチ処理］
次に、ストップウォッチ処理について説明する。
図５は、ストップウォッチ処理を示すフローチャートである。
図５に示す処理は、モード切替操作により、ストップウォッチモードが選択されると開始される。
なお、図５に示す処理が開始される前は、時刻表示モードが選択されている。このときの各指針の状態を、図６に示す。
図６に示されるように、モード表示針１４は、「ＴＩＭＥ」の文字を指示し、停止している。秒針１３は、現時刻の秒を表示し、１秒間隔で運針している。第１副針１７および第２副針１８は、ワールドタイム時刻の時分を表示している。時針１１および分針１２は、現時刻の時分を表示している。
【００３４】
そして、モード切替操作により、ストップウォッチモードが選択されると、タイム表示処理部３４１は、内部計測カウンタをリセットする（Ｓ２１）。このときの各指針の状態を、図７に示す。
図７に示されるように、モード表示針１４は、移動して「ＳＷ」の文字を指示し、停止する。秒針１３は、移動して０秒位置を指示し、停止する。第１副針１７よび第２副針１８は、移動して０時の位置を指示し、停止する。
そして、タイム表示処理部３４１は、第１スイッチ検出部３２の出力信号を判定して、第１ボタン６が押されたかを判定する（Ｓ２２）。
Ｓ２２でＮＯと判定された場合、タイム表示処理部３４１は、Ｓ２２の判定を繰り返す。
【００３５】
一方、Ｓ２２でＹＥＳと判定された場合、タイム表示処理部３４１は、Ｓ２２で第１ボタン６が押された時点からの経過時間の計測を開始する（Ｓ２３）。
そして、タイム表示処理部３４１は、秒針駆動制御部３５、モード表示駆動制御部３７、副針駆動制御部３８を用いて、秒針用ステップモーター２１、モード表示用ステップモーター２３、副針用ステップモーター２４を駆動させ、秒針１３、モード表示針１４、第１副針１７および第２副針１８を時計回り方向に移動させて、経過時間を表示させる。経過時間を計測中の各指針の状態を、図８，９に示す。
計測が開始されると、モード表示針１４は、１／２０秒（０．０５秒）間隔で運針し、モード表示針１４が、０．５秒位置、および、０秒位置を指示する毎に、秒針１３は運針する。すなわち、秒針１３は、０．５秒間隔で運針する。図８は、経過時間が、４１．５秒のときの表示例である。
そして、秒針１３が１周して０秒位置を指示する毎に、第１副針１７および第２副針１８は運針する。すなわち、第１副針１７および第２副針１８は、１分間隔で運針する。また、計測を開始してから１分が経過すると、モード表示針１４は、０秒位置を指示した状態で停止する。図９は、経過時間が、５分と１５．５秒のときの表示例である。
【００３６】
Ｓ２３の後、タイム表示処理部３４１は、第１スイッチ検出部３２の出力信号を判定して、第１ボタン６が再び押されたかを判定する（Ｓ２４）。
Ｓ２４でＮＯと判定された場合、タイム表示処理部３４１は、Ｓ２４の判定を繰り返す。
一方、Ｓ２４でＹＥＳと判定された場合、タイム表示処理部３４１は、経過時間の計測を終了する（Ｓ２５）。
すなわち、このとき、秒針１３は、第１ボタン６が初めに押されてから第１ボタン６が再度押されるまでの経過時間の秒を表示し、モード表示針１４は、前記経過時間の１／２０秒の桁を表示し、第１副針１７および第２副針１８は、前記経過時間の時分を表示している。
【００３７】
次に、ストップウォッチ表示処理部３４２は、第１スイッチ検出部３２の出力信号を判定して、第１ボタン６が押されたかを判定する（Ｓ２６）。
Ｓ２６でＹＥＳと判定された場合、ストップウォッチ表示処理部３４２は、処理をＳ２３に戻す。
【００３８】
Ｓ２６でＮＯと判定された場合、ストップウォッチ表示処理部３４２は、第２スイッチ検出部３３の出力信号を判定して、第２ボタン７が押されたかを判定する（Ｓ２７）。
Ｓ２７でＮＯと判定された場合、ストップウォッチ表示処理部３４２は、処理をＳ２６に戻す。
一方、Ｓ２７でＹＥＳと判定された場合、ストップウォッチ表示処理部３４２は、処理をＳ２１に戻す。
【００３９】
［実施形態の作用効果］
秒針１３は、時刻表示モードでは、１秒間隔で運針され、ストップウォッチモードでは、０．５秒間隔で運針される。
すなわち、秒針１３は、時刻表示モードとストップウォッチモードとで運針時間間隔が異なるため、使用者は、秒針１３の運針時間間隔に基づいて、秒針１３が時刻秒を表示しているのか計測秒を表示しているのかを容易に判別できる。
従って、時刻秒の表示と計測秒の表示とで、１つの秒針１３が兼用されているアナログ電子時計１において、現時刻および計測時間を分かりやすく表示できる。
例えば、図９に示される例では、秒針１３は、１５．５秒の目盛を指示している。これから、秒針１３は、０．５秒間隔で運針されていることが分かる。これにより、アナログ電子時計１において、ストップウォッチモードが選択され、秒針１３が、計測秒を表示していることが把握できる。
【００４０】
ストップウォッチモードにおける秒針１３の運針時間間隔（０．５秒）は、時刻表示モードにおける秒針１３の運針時間間隔（１秒）よりも短い。
これによれば、秒針１３により、計測秒を時刻秒よりも細かい単位で表示できる。本実施形態では、計測秒を０．５秒単位で表示している。これにより、計測時間をより細かく表示できる。
また、計測秒を表示する場合の方が、時刻秒を表示する場合よりも、秒針１３が短い間隔で運針されるため、計測秒を表示していることを使用者がイメージしやすい。このため、計測時間をより分かりやすく表示できる。
【００４１】
秒針１３の回転軸は、文字板２の中心に位置している。
回転軸が文字板２の中心に位置している指針（センター針）は、指針の長さを、文字板２の中心から外縁部近傍までの距離に設定できる。秒針１３をこのような指針とすることで、時刻秒および計測秒をダイナミックに表示できる。これにより、現時刻および計測時間の視認性を向上できる。
【００４２】
［他の実施形態］
なお、本発明は前記実施形態の構成に限定されず、本発明の要旨の範囲内で種々の変形実施が可能である。
例えば、前記実施形態では、秒針１３の１周分のステップ数は、「１２０」であり、時刻表示モードでは、秒針１３を１秒間隔で２ステップずつ運針させ、ストップウォッチモードでは、秒針１３を０．５秒間隔で１ステップずつ運針させているが、本発明はこれに限定されない。
すなわち、秒針１３の１周分のステップ数を、６０のＮ倍（Ｎは２以上の整数）とし、時刻表示モードでは、秒針１３を１秒間隔でＮステップずつ運針させ、ストップウォッチモードでは、秒針１３を、１秒をＮで割った時間間隔で１ステップずつ運針させてもよい。
これによれば、秒針１３は、時刻秒を表示する場合は１秒間隔で運針されるため、ステップモーターで駆動する一般的な時計の秒針の運針間隔とすることができ、使用者は違和感なく時刻秒を認識できる。
また、秒針１３は、時刻秒を表示する場合は１秒間隔で運針され、計測秒を表示する場合は１秒の半分以下の間隔、つまり、０．５秒以下の間隔で運針される。このため、時刻秒の運針間隔（１秒）と、計測秒の運針間隔（０．５秒以下）との差を、０．５秒以上と大きくできる。これにより、秒針１３が時刻秒を表示しているのか計測秒を表示しているのかを、より容易に判別できる。
また、時刻表示モードにおける秒針１３の運針時間間隔を、ストップウォッチモードにおける秒針１３の運針時間間隔よりも短くしてもよい。
【００４３】
前記実施形態では、計測時間は、ストップウォッチ処理で計測した時間であるが、本発明はこれに限定されない。例えば、計測時間は、設定時間から経過時間を引いた残り時間を計測するタイマー処理で計測した時間であってもよい。
この場合、タイマー処理が実行されるタイマーモードにおいて、秒針１３は、例えば、０．５秒間隔で運針される。
【符号の説明】
【００４４】
１…アナログ電子時計、１１…時針、１２…分針、１３…秒針、１４…モード表示針、１７…第１副針、１８…第２副針、２…文字板、２１…秒針用ステップモーター、２２…時分針用ステップモーター、２３…モード表示用ステップモーター、２４…副針用ステップモーター、３０…駆動制御回路、３２…第１スイッチ検出部、３３…第２スイッチ検出部、３４…機能処理部、３４１…タイム表示処理部、３４２…ストップウォッチ表示処理部、３５…秒針駆動制御部、３６…時分針駆動制御部、３７…モード表示駆動制御部、３８…副針駆動制御部、６…第１ボタン、７…第２ボタン。
【図１】
2015206770.tif 000003
【図２】
2015206770.tif 000004
【図３】
2015206770.tif 000005
【図４】
2015206770.tif 000006
【図５】
2015206770.tif 000007
【図６】
2015206770.tif 000008
【図７】
2015206770.tif 000009
【図８】
2015206770.tif 000010
【図９】
2015206770.tif 000011